(57)【要約】      （修正有）【課題】組立および解体の容易性を向上させる間仕切りを提供する。【解決手段】間仕切りは、４本の梁部を矩形状に連結した枠部１１０と、枠部を支持する４本の支柱部１２０と、側面領域を覆う側面シート１３０と、上面領域を覆う天井シート１４０と、梁部１１２に設けられ、梁部の長手方向に沿って延びた形状を成し、側面シートおよび天井シートを保持する保持部材１５０とを備える。側面シートは、側面シートの上辺を構成する円柱軸部１３２を有する。天井シートは、天井シートの裏面に天井シートの１つの辺に沿って設けられた第１の面ファスナ１４５を有する。保持部材は、梁部の上に固定され、梁部の長手方向に延びた平板部１５２と、平板部の長辺と一体的に形成され、梁部の外周側へ突出し、側面シートの円柱軸部を受け入れ可能に構成された円弧状断面を有する溝部１５４と、平板部の上面に設けられ、天井シートの第１の面ファスナと着脱可能に結合する第２の面ファスナ１５６とを有する。【選択図】図１
0003226153.tif 000002
【実用新案登録請求の範囲】
【請求項１】
間仕切りであって、
４本の梁部を矩形状に連結した枠部と、
前記枠部の四隅からそれぞれ下方に延び、前記枠部を支持する４本の支柱部と、
１本の前記梁部と２本の前記支柱部とによって区画される側面領域の少なくとも一部を覆う側面シートと、
前記４本の梁部によって区画される上面領域の少なくとも一部を覆う天井シートと、
前記梁部に設けられ、前記梁部の長手方向に沿って延びた形状を成し、前記側面シートおよび前記天井シートを保持する保持部材と
を備え、
前記側面シートは、前記側面シートの上辺を構成する円柱軸部を有し、
前記天井シートは、前記天井シートの裏面に前記天井シートの１つの辺に沿って設けられた第１の面ファスナを有し、
前記保持部材は、
前記梁部の上に固定され、前記梁部の長手方向に延びた平板部と、
前記平板部の長辺と一体的に形成され、前記梁部の外周側へ突出し、前記側面シートの前記円柱軸部を受け入れ可能に構成された円弧状断面を有する溝部と、
前記平板部の上面に設けられ、前記天井シートの前記第１の面ファスナと着脱可能に結合する第２の面ファスナと
を有する、間仕切り。
【考案の詳細な説明】
【技術分野】
【０００１】
本明細書は、間仕切りに関する技術を開示する。
【背景技術】
【０００２】
間仕切りには、直方体状のフレームと、そのフレームにおける１つ以上の面を覆うシートとを備えるものがある（例えば、特許文献１を参照）。このような間仕切りは、屋内外の行事や催事などのイベントにおいてブースの設営に用いられる。
【先行技術文献】
【特許文献】
【０００３】
【特許文献１】特開２０１４−１２９６６３号公報
【考案の概要】
【考案が解決しようとする課題】
【０００４】
間仕切りにおいては組立および解体の容易性の向上が求められていた。
【課題を解決するための手段】
【０００５】
本明細書に開示する一形態における間仕切りは、４本の梁部を矩形状に連結した枠部と；前記枠部の四隅からそれぞれ下方に延び、前記枠部を支持する４本の支柱部と；１本の前記梁部と２本の前記支柱部とによって区画される側面領域の少なくとも一部を覆う側面シートと；前記４本の梁部によって区画される上面領域の少なくとも一部を覆う天井シートと；前記梁部に設けられ、前記梁部の長手方向に沿って延びた形状を成し、前記側面シートおよび前記天井シートを保持する保持部材とを備える。前記側面シートは、前記側面シートの上辺を構成する円柱軸部を有する。前記天井シートは、前記天井シートの裏面に前記天井シートの１つの辺に沿って設けられた第１の面ファスナを有する。前記保持部材は、前記梁部の上に固定され、前記梁部の長手方向に延びた平板部と；前記平板部の長辺と一体的に形成され、前記梁部の外周側へ突出し、前記側面シートの前記円柱軸部を受け入れ可能に構成された円弧状断面を有する溝部と；前記平板部の上面に設けられ、前記天井シートの前記第１の面ファスナと着脱可能に結合する第２の面ファスナとを有する。
【０００６】
この形態の間仕切りによれば、側面シートの円柱軸部を保持部材の溝部に抜き差しすることによって側面シートを取り付けおよび取り外しできるとともに、天井シートの第１の面ファスナを保持部材の第２の面ファスナに対して着脱することによって天井シートを取り付けおよび取り外しできる。そのため、間仕切りの組立および解体の容易性を向上させることができる。
【図面の簡単な説明】
【０００７】
【図１】組立ブースを示す説明図である。
【考案を実施するための形態】
【０００８】
図１は、組立ブース１０を示す説明図である。組立ブース１０は、組み立て式の間仕切りである。組立ブース１０は、枠部１１０と、４本の支柱部１２０と、側面シート１３０と、天井シート１４０と、４つの保持部材１５０とを備える。
【０００９】
組立ブース１０の枠部１１０は、４本の梁部１１２を矩形状に連結して成る。枠部１１０は、金属製であってもよいし、樹脂製であってもよい。梁部１１２は、他の梁部１１２と溶接されていてもよいし、他の梁部１１２と着脱可能に構成されていてもよい。
【００１０】
組立ブース１０における４本の支柱部１２０は、枠部１１０の四隅からそれぞれ下方に延びている。これによって、４本の支柱部１２０は、枠部１１０を支持する。支柱部１２０は、金属製であってもよいし、樹脂製であってもよい。支柱部１２０は、枠部１１０と溶接されていてもよいし、枠部１１０と着脱可能に構成されていてもよい。
【００１１】
組立ブース１０の側面シート１３０は、１本の梁部１１２と２本の支柱部１２０とによって区画される側面領域ＳＡの少なくとも一部を覆う。側面シート１３０は、側面シート１３０の上辺を構成する円柱軸部１３２を有する。円柱軸部１３２は、円柱状の軸にシートが巻き付いた構造を有する。側面シート１３０は、塩化ビニール製シートであってもよいし、ターポリンであってもよい。図１の例では、側面シート１３０は、１つの側面領域ＳＡにのみ組付けされている。組立ブース１０は、他の３つの側面領域ＳＡにおいても側面シート１３０をそれぞれ取り付け可能に構成されている。
【００１２】
組立ブース１０の天井シート１４０は、４本の梁部１１２によって区画される上面領域ＵＡの少なくとも一部を覆う。天井シート１４０は、天井シート１４０の裏面１４２に４つの面ファスナ１４５を有する。面ファスナ１４５は、第１の面ファスナであり、天井シート１４０の１つの辺に沿って設けられている。本実施形態では、面ファスナ１４５は、ループ状に起毛した面を有する
【００１３】
組立ブース１０における４つの保持部材１５０は、側面シート１３０および天井シート１４０を保持する。保持部材１５０は、４つの梁部１１２の各々に設けられている。保持部材１５０は、梁部１１２の長手方向に沿って延びた形状を成す。保持部材１５０は、平板部１５２と、溝部１５４と、面ファスナ１５６とを有する。
【００１４】
保持部材１５０の平板部１５２は、梁部１１２の長手方向に延びた板状の部位である。平板部１５２は、梁部１１２の上に固定されている。本実施形態では、平板部１５２は、複数の皿ネジ１６０によって梁部１１２に固定されている。
【００１５】
保持部材１５０の溝部１５４は、側面シート１３０の円柱軸部１３２を受け入れ可能に構成された円弧状断面を有する。溝部１５４は、平板部１５２の長辺と一体的に形成されている。溝部１５４は、梁部１１２の外周側へ突出している。
【００１６】
保持部材１５０の面ファスナ１５６は、第２の面ファスナであり、平板部１５２の上面１５２Ｕに設けられている。面ファスナ１５６は、天井シート１４０の面ファスナ１４５と着脱可能に結合する。本実施形態では、面ファスナ１５６は、フック状に起毛した面を有する。
【００１７】
組立ブース１０を組み立てる場合、作業者は、枠部１１０および支柱部１２０を組み立てた後、作業者は、側面シート１３０および天井シート１４０をそれぞれ取り付ける。側面シート１３０を取り付ける際には、作業者は、側面シート１３０の円柱軸部１３２を保持部材１５０の溝部１５４の端部から挿入し、側面シート１３０を梁部１１２の長手方向に移動させる。これによって、側面シート１３０の取り付けが完了する。天井シート１４０を取り付ける際には、作業者は、天井シート１４０の面ファスナ１４５を保持部材１５０の面ファスナ１５６に対して位置合わせをした後に面ファスナ１４５を面ファスナ１５６に押し付ける。これによって、天井シート１４０の取り付けが完了する。
【００１８】
組立ブース１０を解体する場合、作業者は、側面シート１３０および天井シート１４０を取り外した後、枠部１１０および支柱部１２０を解体する。側面シート１３０を取り外す際には、作業者は、側面シート１３０の円柱軸部１３２を梁部１１２の長手方向に移動させることによって、円柱軸部１３２を保持部材１５０の溝部１５４から抜き出す。これによって、側面シート１３０の取り外しが完了する。天井シート１４０を取り外す際には、作業者は、天井シート１４０を上方に引っ張ることによって、天井シート１４０の面ファスナ１４５を保持部材１５０の面ファスナ１５６から引き剥がす。これによって、天井シート１４０の取り外しが完了する。
【００１９】
以上説明した実施形態によれば、側面シート１３０の円柱軸部１３２を保持部材１５０の溝部１５４に抜き差しすることによって側面シート１３０を取り付けおよび取り外しできるとともに、天井シート１４０の面ファスナ１４５を保持部材１５０の面ファスナ１５６に対して着脱することによって天井シート１４０を取り付けおよび取り外しできる。そのため、組立ブース１０の組立および解体の容易性を向上させることができる。
【００２０】
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【符号の説明】
【００２１】
１０…組立ブース
１１０…枠部
１１２…梁部
１２０…支柱部
１３０…側面シート
１３２…円柱軸部
１４０…天井シート
１４２…裏面
１４５…面ファスナ
１５０…保持部材
１５２…平板部
１５２Ｕ…上面
１５４…溝部
１５６…面ファスナ
１６０…皿ネジ
ＳＡ…側面領域
ＵＡ…上面領域
【図１】
0003226153.tif 000003